(57)【要約】【課題】  信号配線の一部を時分割に駆動して信号配線数を減少させて一方基板の周縁部内で信号配線を形成する領域を小さくし、コモン配線の配線抵抗を低下させるとともに、周縁部の大きさの低下を図った液晶表示装置を提供すること。【解決手段】  液晶表示装置の複数の信号配線を複数Ｎ個のスイッチング配線ＳＷ１〜ＳＷ３と複数Ｐ個の駆動配線Ｌ１〜Ｌ４とから構成し、前記駆動配線Ｌ１〜Ｌ４のそれぞれについて、Ｐ個のスイッチング素子ｔｒ１〜ｔｒ４を介して前記複数の信号入力端子のうちのＰ個（例えばｔａ１〜ｔａ４）に接続し、前記Ｎ個のスイッチング配線ＳＷ１〜ＳＷ３をそれぞれ異なる駆動配線Ｌ１〜Ｌ４に接続されているＰ個のスイッチング素子の入力端子（ゲート電極）に接続し、図示しない外部の制御回路からの信号により駆動回路を介して前記スイッチング素子を制御するとともに前記Ｐ個の駆動配線に駆動信号を供給するようにする。【選択図】        図１
2006098880.tif 000002
【特許請求の範囲】
【請求項１】
一方基板と該一方基板よりも小さい他方基板とを重ね合わせ、２つの基板が重なり合う部分に液晶層を介在させて表示部が形成された液晶表示パネルと、
前記表示部の周囲に形成された走査信号又は映像信号が入力される複数の信号入力端子と、
を備えた液晶表示パネルにおいて、
前記一方基板上に、外部からの制御信号を処理して前記液晶表示パネルを駆動するための駆動信号及びスイッチング信号を生成する駆動回路、及び前記駆動回路からの駆動信号及びスイッチング信号がそれぞれ送出される複数の駆動配線及び複数のスイッチング配線を設け、
前記複数の駆動配線及び複数のスイッチング配線の数の和は前記複数の信号入力端子の数よりも小さくし、
前記複数の信号入力端子のそれぞれをスイッチング素子を介して前記複数の駆動配線に接続し、
前記複数の駆動配線を前記スイッチング素子により前記スイッチング信号に同期して時分割に前記複数の信号入力端子に切換接続するようにしたことを特徴とする液晶表示装置。
【請求項２】
前記複数の駆動配線の数をＰ個とし、前記複数のスイッチング配線の数をＮ個としたとき、
前記複数の信号入力端子のそれぞれをＰ個毎にスイッチング素子を介してそれぞれ異なる駆動配線に接続し、
Ｎ個の前記スイッチング配線のそれぞれをそれぞれ異なる駆動配線に接続されているＰ個のスイッチング素子の入力端子に接続し、
前記駆動回路から前記Ｎ個のスイッチング配線を介して前記スイッチング素子を制御するとともに前記Ｐ個の駆動配線に駆動信号を供給することにより、前記複数の信号入力端子に時分割に駆動信号を供給するようにしたことを特徴とする請求項１に記載の液晶表示装置。
【請求項３】
前記Ｐ個毎にスイッチング素子を介してそれぞれ異なる駆動配線に接続されている前記複数の信号入力端子は、互いに隣接していることを特徴とする請求項２に記載の液晶表示装置。
【請求項４】
前記スイッチング素子が薄膜トランジスタであることを特徴とする請求項１〜３のいずれかに記載の液晶表示装置。
【請求項５】
前記複数の信号入力端子数をＭとしたとき、前記ＮとＰがＭ／Ｎ≦Ｐとなるように選択されていることを特徴とする請求項２に記載の液晶表示装置。
【発明の詳細な説明】
【技術分野】
【０００１】
本発明は、液晶表示装置に関し、特に液晶表示パネルの表示部の周囲に走査信号又は映像信号が入力される複数の信号入力端子が形成され、これらの信号入力端子のそれぞれが時分割に複数の信号配線に接続されるようにして信号配線数を減少させ、それによって液晶表示パネルの一方基板の周縁部内で複数の信号配線を形成する領域を小さくして周縁部内での残余の領域を拡大することにより残余の領域に形成されるコモン配線の配線抵抗を低下させるとともに、周縁部の大きさの低下を図った液晶表示装置に関する。  
【背景技術】
【０００２】
液晶表示装置は、各種電子機器の表示装置として使用されているが、近年、電子機器の構成の小型化が要求されており、そのため表示装置として使用される液晶表示装置についても、構成の小型化が要求されている。一般的に、液晶表示装置は、一対の基板間に液晶層を介在させて構成される液晶表示パネルと、該液晶表示パネルを駆動するための駆動回路である駆動用ＩＣ（Integrated Circuit：集積回路）とを備えて構成される。このような液晶表示装置においては、たとえば、液晶表示パネルを構成している一対の基板のうちの一方基板上に駆動用ＩＣを直接配置するいわゆるＣＯＧ（Chip On Glass）方式を採用することによって、構成の小型化を図っている。
【０００３】
ＣＯＧ方式の液晶表示装置では、液晶表示パネルを構成する一対の矩形基板のうちの一方基板として他方基板よりも大きい基板を使用して液晶表示パネルを構成し、一方基板上で他方基板が重なり合う部分（表示部）の周辺、すなわち一方基板上の周縁部に駆動用ＩＣを配置している。そして、一方基板上には、表示部に所定の駆動信号を供給するための複数の信号入力端子を形成するとともに、各信号入力端子に供給する駆動信号を生成して出力する駆動用ＩＣの複数の信号出力端子と複数の信号入力端子とを接続するための複数の信号配線を形成している。
【０００４】
複数の信号入力端子は、表示部内の信号配線を表示部の外側まで延ばすことによって形成されており、矩形状の表示部の辺に対して平行に配列されている。たとえばアクティブマトリクス型の液晶表示装置の場合は、走査信号入力端子と、表示信号入力端子と、共通電極駆動信号入力端子との３種類の信号入力端子を形成する必要がある。したがって、アクティブマトリクス型液晶表示装置では、たとえば、矩形状の表示部の特定の一辺に対して平行に複数の走査信号入力端子が形成され、前記特定の一辺に隣接する一辺に対して平行に複数の表示信号入力端子が形成され、走査線信号配線と表示信号配線とが格子状に形成される。さらに走査信号入力端子列または表示信号入力端子列の端に共通電極駆動信号入力端子が形成される。
【０００５】
図３は、ＣＯＧ方式のアクティブマトリクス型液晶表示装置３１の従来例を示す平面図である。液晶表示装置３１は、一方基板３２と該一方基板３２よりも小さい他方基板３３とを重ね合わせ、２つの基板３２、３３が重なり合う部分に液晶層を介在させて表示部が形成された液晶表示パネル３４と、液晶表示パネル３４を駆動する駆動信号を生成して出力するとともに、一方基板３２上に配置される３つの駆動用ＩＣ３５、３６、３７とを備えて構成される。
【０００６】
液晶表示パネル３４は、小さい他方基板３３を大きい一方基板３２の一辺側に偏らせるとともに、該一辺のほぼ中間位置に配置して構成されており、これによって一方基板３２上には表示部の周囲に３つの周縁部Ａ１１、Ａ１２、Ａ１３が存在している。この液晶表示パネル３４では、対向する２つの周縁部Ａ１１，Ａ１２に、表示部から引き出されて形成された複数の走査信号入力端子ｔａが表示部の周辺（他方基板３３の辺）に沿って配列されており、残りの１つの周縁部Ａ１３に、表示部から引き出されて形成された複数の表示信号入力端子ｔｂが、表示部の周辺に沿って配列されている。
【０００７】
駆動用ＩＣとしては、走査信号を生成して出力する２つの走査駆動用ＩＣ３６，３７と、表示信号を生成して出力する１つの表示駆動用ＩＣ３５とが配置されている。３つの駆動用ＩＣ３５〜３７は、一方基板３２上の表示信号入力端子列が形成されている周縁部Ａ１３に配置されている。このように１つの周縁部Ａ１３にすべての駆動用ＩＣ３５〜３７を配置することによって、一方基板３２の幅方向の長さを短くして、液晶表示装置３１の構成の小型化を図ることができる。
【０００８】
また、他方基板３３に形成されている共通電極にコモン駆動信号を供給するコモン駆動信号入力端子ｔｃは、走査信号入力端子ｔａが形成されている周縁部Ａ１１，Ａ１２の外周側に位置している。また、駆動用ＩＣ３５〜３７が配置されている周縁部Ａ１３には、図示しない外部の制御回路から供給されるコモン駆動信号が入力されるコモン端子ｔｄが形成されている。
【０００９】
表示駆動用ＩＣ３５は表示信号入力端子列に対向する位置に配置されているので、表示駆動用ＩＣ３５の出力端子と表示信号入力端子ｔｂとを接続する信号配線は、図３の領域Ｒ１１内で、直線的に形成されている。一方、走査駆動用ＩＣ３６、３７は走査信号入力端子列に対向する位置には配置されていないので、走査駆動用ＩＣ３６、３７の出力端子と走査信号入力端子ｔａとを接続する信号配線は、走査信号入力端子列の一方端側から、走査信号入力端子ｔａが形成されている周縁部Ａ１１、Ａ１２を引き回されて形成されている。すなわち、信号配線は、まず走査駆動用ＩＣ３６、３７の出力端子から、走査信号入力端子ｔａが形成されている周縁部Ａ１１、Ａ１２の一方端部まで形成され（図３の領域Ｒ１２Ｌ、Ｒ１２Ｒ参照）、それから周縁部Ａ１１、Ａ１２を引き回されて各走査信号入力端子ｔａまで形成されている（図３の領域Ｒ１３Ｌ、Ｒ１３Ｒ参照）。
【００１０】
また、コモン駆動信号入力端子ｔｃとコモン端子ｔｄとを接続するコモン配線３８は、まずコモン端子ｔｄから走査信号入力端子ｔａが形成されている周縁部Ａ１１、Ａ１２の一方端部まで形成され、それから領域Ｒ１３Ｌ、Ｒ１３Ｒの外側の領域を引き回されて周縁部Ａ１１、Ａ１２の他方端部のコモン駆動信号入力端子ｔｃまで形成されている。
【００１１】
このように、液晶表示パネル３４を構成する一方基板３２上の１つの周縁部Ａ１３に、複数個の駆動用ＩＣ３５〜３７を配置した液晶表示装置３１は、たとえば特許文献１に記載されている。
【００１２】
図４は、走査信号入力端子ｔａが形成されている周縁部Ａ１２における信号配線の形状を示す拡大平面図である。なお、図３において、他方基板３３の左側に位置する周縁部Ａ１１における信号配線と、他方基板３３の右側に位置する周縁部Ａ１２における信号配線とは、左右対称であるので、周縁部Ａ１２における信号配線について説明する。また、図４では、５個の走査信号入力端子ｔａ１〜ｔａ５（総称するときは参照符号ｔａを用いる）に接続される信号配線ｓ１〜ｓ５（総称するときは参照符号ｓを用いる）について説明する。
【００１３】
まず、走査信号入力端子列の他端側に位置する走査信号入力端子ｔａ１に接続される配線部分ｓ１について説明する。走査信号入力端子列の一方端側から走査信号入力端子ｔａまでの配線部分ｓ１は、走査信号入力端子列の一方端側から他方端側に向かって、該走査信号入力端子の配列方向に対して平行に延びる第１直線部分ｓａ１と、配列方向に対して所定の角度をもって延びる第２直線部分ｓｂ１とを接続して構成されている。第２直線部分ｓｂ１における所定の角度は、第１直線部分ｓａ１の先端と接続すべき走査信号入力端子ｔａ１とを接続できる角度に設定されている。また第２直線部分ｓｂ１の幅は、第１直線部分ｓａ１の幅よりも大きく形成されている。他の配線部分ｓ２〜ｓ５についても、配線部分ｓ１と同様の形状である。これらの配線部分ｓ１〜ｓ５は、薄膜形成技術を利用して同一層で同時形成することができる。
【００１４】
コモン配線３８は、走査信号入力端子列の一方端側から他方端側に向かって走査信号入力端子ｔｃの配列方向ｄ１に平行に延びる直線部分３８ａと、走査信号入力端子列の他方端側の領域に形成される略直角三角形状の接続部分３８ｂとで構成されている。コモン配線３８も、上記の配線部分ｓ１〜ｓ５と同様に、薄膜形成技術を利用して同一層で同時形成することができる。
【００１５】
走査信号入力端子列の一方端側から信号入力端子までの配線部分ｓ１は、第１直線部分ｓａ１と、第１直線部分ｓａ１よりも幅が広い第２直線部分ｓｂ１とを接続して構成されているので、走査信号入力端子直前では配線抵抗が小さくなり、走査信号入力端子ｔｃ１の直前での走査信号の電圧降下が防止される。同様に、走査信号入力端子列の一方端側からコモン駆動信号入力端子ｔｃ１までのコモン配線３８は、直線部分３８ａと、略直角三角形状の幅広部分３８ｂとを接続して構成されているので、コモン駆動信号入力端子直前では配線抵抗が小さくなり、コモン駆動信号入力端子直前でのコモン駆動信号の電圧降下が防止される。このように、表示部に適正な走査信号およびコモン駆動信号を供給することができるので、液晶表示装置３１の表示品位の劣化を防止することができる。  
【特許文献１】特開２００３−２４１２１７号公報（特許請求の範囲、段落［００２８］〜［００３６］、図１〜図７）
【発明の開示】
【発明が解決しようとする課題】
【００１６】
液晶表示装置３１においては、より高精細な画像表示ができることが課題の１つである。高精細な画像表示を実現するためには、表示部の表示ライン数を増やすとともに、１表示ラインの画素数を増やす必要がある。表示ライン数や画素数を増やすためには、走査信号入力端子ｔａや表示信号入力端子ｔｂの数を増やす必要がある。走査信号入力端子ｔａの数が増えると、走査駆動用ＩＣ３６、３７と走査信号入力端子ｔａとを接続する信号配線の数も増えることになり、走査信号入力端子ｔａが形成されている周縁部Ａ１１、Ａ１２において、信号配線を形成するための領域の幅が大きくなり、コモン配線３８を形成するための領域が狭くなってしまう。
【００１７】
また、液晶表示装置３１においては、搭載される電子機器の小型化に伴って、より構成の小型化を図ることも課題の１つである。構成の小型化を実現するための手段の１つは、一方基板３２を小さくすることである。しかし、一方基板３２を小さくすると、表示部の周囲の周縁部Ａ１１、Ａ１２が小さくなる。また、信号配線の本数は決まっており、例えば、図５に従来の液晶表示パネルの信号入力端子ｔａ１〜ｔａＭと信号配線ｓ１〜ｓＭの接続関係を示すが、信号配線ｓ１〜ｓＭは液晶表示パネルの信号入力端子ｔａ１〜ｔａＭと１：１に対応しており、この場合、図６に示したように、１フィールド期間内に液晶表示装置３１に入力された入力信号、例えばａ〜ｌは、それぞれ液晶表示パネルの信号入力端子ｔａ１〜ｔａＭに個別に入力されるようになっている。したがって、信号配線の幅と信号配線間の間隔とを狭めるのは限界があるので、周縁部Ａ１１、Ａ１２内で複数の信号配線を形成するための領域は、極端に小さくすることができず、一方、基板３２を小さくすると、コモン配線３８を形成するための領域が小さくなってしまう。
【００１８】
このようにコモン配線３８を形成するための領域が小さくなると、コモン配線３８における直線部分の幅が小さくなり、その結果直線部分での配線抵抗が大きくなり、直線部分におけるコモン駆動信号の電圧降下量が大きくなる。そのため、適正なコモン駆動信号をコモン駆動信号入力端子ｔｃに供給することができなくなり、液晶表示装置３１の表示品位が劣化するという問題がある。
【００１９】
本願の発明者は、このような従来技術における問題点を解決すべく種々検討を重ねた結果、従来技術の問題点は複数の信号配線の数と液晶表示パネルの表示部における複数の信号入力端子との数が等しいことから生じていることから、複数の信号配線を時分割で利用すれば信号配線の数を減らすことができると考え、本発明を完成するに至ったのである。
【００２０】
すなわち、本発明は、液晶表示パネルの複数の信号入力端子に接続される複数の信号配線を共用して時分割して駆動することにより信号配線の数を減らすことを目的とする。またそれによって液晶表示パネルの一方基板の周縁部内で複数の信号配線を形成する領域を小さくして周縁部内での残余の領域を拡大することによりコモン配線を太くすることによって配線抵抗を低下させるとともに、周縁部の大きさの低下を図った液晶表示装置を提供することを目的とする。  
【課題を解決するための手段】
【００２１】
本発明の上記目的は以下の構成により達成し得る。すなわち、請求項１に係る液晶表示装置の発明は、一方基板と該一方基板よりも小さい他方基板とを重ね合わせ、２つの基板が重なり合う部分に液晶層を介在させて表示部が形成された液晶表示パネルと、前記表示部の周囲に形成された走査信号又は映像信号が入力される複数の信号入力端子と、を備えた液晶表示パネルにおいて、前記一方基板上に、外部からの制御信号を処理して前記液晶表示パネルを駆動するための駆動信号及びスイッチング信号を生成する駆動回路、及び前記駆動回路からの駆動信号及びスイッチング信号がそれぞれ送出される複数の駆動配線及び複数のスイッチング配線を設け、前記複数の駆動配線及び複数のスイッチング配線の数の和は前記複数の信号入力端子の数よりも小さくし、前記複数の信号入力端子のそれぞれをスイッチング素子を介して前記複数の駆動配線に接続し、前記複数の駆動配線を前記スイッチング素子により前記スイッチング信号に同期して時分割に前記複数の信号入力端子に切換接続するようにしたことを特徴とする。
【００２２】
この場合、前記時分割して駆動する複数の信号配線は、液晶表示パネルの映像信号線及び走査信号線のいずれに接続されるものであってもよいが、映像信号線に供給される信号はアナログ階調信号であるとともに時分割する際の切換周波数が高くなるため、走査信号線に接続される信号配線に適用した方がよい。
【００２３】
また、請求項２に係る発明は、請求項１に記載の液晶表示装置において、前記複数の駆動配線の数をＰ個とし、前記複数のスイッチング配線の数をＮ個としたとき、前記複数の信号入力端子のそれぞれをＰ個毎にスイッチング素子を介してそれぞれ異なる駆動配線に接続し、Ｎ個の前記スイッチング配線のそれぞれをそれぞれ異なる駆動配線に接続されているＰ個のスイッチング素子の入力端子に接続し、前記駆動回路から前記Ｎ個のスイッチング配線を介して前記スイッチング素子を制御するとともに前記Ｐ個の駆動配線に駆動信号を供給することにより、前記複数の信号入力端子に時分割に駆動信号を供給するようにしたことを特徴とする。
【００２４】
また、請求項３に係る発明は、前記請求項２に記載の液晶表示装置において、前記Ｐ個毎にスイッチング素子を介してそれぞれ異なる駆動配線に接続されている前記複数の信号入力端子は、互いに隣接していることを特徴とする。
【００２５】
また、請求項４に係る発明は、前記請求項２に記載の液晶表示装置において、前記スイッチング素子が薄膜トランジスタ（ＴＦＴ）であることを特徴とする。
【００２６】
また、請求項５に係る発明は、前記請求項２に記載の液晶表示装置において、前記複数の信号入力端子数をＭとしたとき、前記ＮとＰがＭ／Ｎ≦Ｐとなるように選択されていることを特徴とする。
【００２７】
この場合、Ｍ／Ｎ＝Ｐであれば、それぞれの駆動配線に接続されるスイッチング素子の数（すなわち入力端子の数）は全て均しいが、Ｍ／Ｎ＜Ｐであればそれぞれの駆動配線に接続されるスイッチング素子の数が異なる場合が生じる。  
【発明の効果】
【００２８】
本発明は上記のような構成を備えることにより、以下のような優れた効果を奏する。すなわち、請求項１の発明によれば、複数の駆動配線を時分割に液晶表示パネルの表示部の周囲に形成されている複数の信号入力端子に切換接続するようにしため、駆動配線及びスイッチング配線からなる信号配線の数を前記信号入力端子の数よりも減少させることができるので、複数の信号配線を形成する領域を小さくすることができる。またそれによって周縁部内での残余の領域を拡大することにより残余の領域に形成されるコモン配線の配線抵抗を低下させるとともに、周縁部の大きさの低下を図ることができるようになる。
【００２９】
また、請求項２の発明によれば、簡単な構成により駆動配線及びスイッチング配線からなる信号配線の数を減らして時分割して駆動することができるようになる。
【００３０】
また、請求項３の発明によれば、複数のスイッチング素子の配置が簡単になり、回路構成を複雑化せずに複数の信号配線の数を減らすことができるようになる。
【００３１】
また、請求項４の発明によれば、液晶表示パネル駆動用のＴＦＴの形成と同時にスイッチング素子としての薄膜トランジスタも形成できるので、製造に際する工数を低下させることができる。
【００３２】
さらに、請求項５の発明によれば、駆動配線及びスイッチング配線からなる信号配線の数を前記信号入力端子の数よりも減少させることができ、スペースの利用効率が向上する。  
【発明を実施するための最良の形態】
【００３３】
以下、図１及び図２を参照して本発明の実施例を説明するが、液晶表示パネル全体の基本的構成は、図３及び図４に示した従来例のものと同様であるので、必要に応じて図３及び図４を参照して説明する。なお、図１は実施例の液晶表示装置の複数の信号入力端子と各信号配線の接続関係を示す回路図であり、図２は図１の各信号配線に入力された入力信号と液晶表示パネルの信号入力端子ｔａ１〜ｔａＭに印加される信号の関係を示すタイミングチャートである。
【００３４】
本実施例の液晶表示装置は、図１に示すように、複数の信号配線は、例えば３個のスイッチング配線ＳＷ１〜ＳＷ３と、４個の駆動配線Ｌ１〜Ｌ４とからなっている。そして、液晶表示パネルの信号入力端子ｔａ１〜ｔａＭのうち、隣接する４個の信号入力端子ｔａ１〜ｔａ４のそれぞれがスイッチング素子であるＴＦＴｔｒ１〜ｔｒ４を介して各駆動配線Ｌ１〜Ｌ４に接続されており、また、ＴＦＴｔｒ１〜ｔｒ４の入力端子（ゲート電極）は全てスイッチング配線ＳＷ１に接続されている。同様に、液晶表示パネルの他の信号入力端子ｔａ５〜ｔａＭもそれぞれ隣接する４個ごとにＴＦＴを介して駆動配線Ｌ１〜Ｌ４に接続され、これらのＴＦＴの入力端子はスイッチング配線ＳＷ２又はＳＷ３に接続されている。
【００３５】
このＴＦＴｔｒ１〜ｔｒＭは、アクティブマトリクス型液晶表示パネルにおける各画素の駆動用ＴＦＴとして低温ポリシリコン（Low Temperature ｐ−Ｓｉ : ＬＴＰＳ）ＴＦＴが採用されるようになってきていることから、各画素の駆動用ＴＦＴの形成時にスイッチング配線や駆動配線とともに同時に形成することができる。
【００３６】
この場合、例えばスイッチング配線ＳＷ１に信号が加えられてＴＦＴｔｒ１〜ｔｒ４がオンになると、信号入力端子ｔａ１〜ｔａ４はそれぞれ駆動配線Ｌ１〜Ｌ４に接続されて、それぞれの信号入力端子ｔａ１〜ｔａ４には駆動ラインＬ１〜Ｌ４からの入力信号が印加される。その間、他の信号入力端子ｔａ５〜ｔａＭには、スイッチング配線ＳＷ２及びＳＷ３には信号が印加されていないためにＴＦＴｔｒ５〜ｔｒＭがオフとなっているので、何も信号が印加されない。
【００３７】
一方、スイッチング配線ＳＷ２に信号が加えられてスイッチング配線ＳＷ１に加えられていた信号が消失すると、ＴＦＴｔｒ５〜ｔｒ８がオンになるとともに残余のＴＦＴｔｒ１〜ｔｒ４及びｔｒ９〜ｔｒＭがオフ状態となるので、隣接する４個の信号入力端子ｔａ５〜ｔａ８のそれぞれが各駆動配線Ｌ１〜Ｌ４に接続されるから、４個の信号入力端子ｔａ５〜ｔａ８にはそれぞれ各駆動配線Ｌ１〜Ｌ４からの入力信号が印加され、残余の入力端子ｔａ１〜ｔａ４及びｔａ９〜ｔａＭには何も信号が印加されないようになる。
【００３８】
同様に、スイッチング配線ＳＷ３に信号が入力されてスイッチング配線ＳＷ１及びＳＷ２に信号が印加されない場合は、４個の信号入力端子ｔａ９〜ｔａＭに各駆動配線Ｌ１〜Ｌ４からの入力信号が印加され、残余の信号入力端子ｔａ１〜ｔａ８には何も信号が印加されないようになる。
【００３９】
ここで、図２のタイミングチャートを用いて各信号配線に入力された入力信号と液晶表示パネルの信号入力端子ｔａ１〜ｔａＭに印加される信号の関係を説明する。図示しない外部の制御装置から１フィールド期間に例えばａ〜ｌの制御信号が入力されると、液晶表示パネルの一方基板上に設けられている走査駆動ＩＣ３７（図３参照）は、スイッチング配線ＳＷ１〜ＳＷ３及び駆動配線Ｌ１〜Ｌ４に、図２に示したようなタイミングの制御信号を生成する。
【００４０】
すなわち、駆動配線Ｌ１には駆動信号ａ、ｅ及びｉを、駆動配線Ｌ２には駆動信号ｂ、ｆ及びｊを、駆動配線Ｌ３には駆動信号ｃ、ｇ及びｋを、駆動配線Ｌ４には駆動信号ｄ、ｈ及びｌを出力し、また、スイッチング配線ＳＷ１には制御信号ａ〜ｄが入力されている間のみ出力を発生させ、スイッチング配線ＳＷ２には制御信号ｅ〜ｈが入力されている間のみ出力を発生させ、スイッチング配線ＳＷ３には制御信号ｇ〜ｌが入力されている間のみ出力を発生させる。
【００４１】
そうすると、スイッチング配線ＳＷ１にスイッチング信号が加えられてＴＦＴｔｒ１〜ｔｒ４がオンになると、液晶表示パネルの信号入力端子ｔａ１〜ｔａ４はそれぞれ駆動配線Ｌ１〜Ｌ４に接続されて、それぞれの信号入力端子ｔａ１〜ｔａ４には駆動ラインＬ１〜Ｌ４からの駆動信号が印加されるから、信号入力端子ｔａ１には駆動信号ａが、信号入力端子ｔａ２には駆動信号ｂが、信号入力端子ｔａ３には駆動信号ｃが、信号入力端子ｔａ４には駆動信号ｄが、それぞれ印加されることになる。
【００４２】
同様にしてスイッチング配線ＳＷ２及びＳＷ３に順次出力が加えられると、液晶表示パネルの信号入力端子ｔａ５〜ｔａＭにはそれぞれ対応する駆動信号ｅ〜ｌが印加されるようになる。
【００４３】
そうすると、本実施例では、液晶表示パネルの表示部の周囲に形成された走査信号又は映像信号が入力される複数の信号入力端子ｔａ１〜ｔａＭには、例えばＭ＝１２の例では、スイッチング配線ＳＷ１〜ＳＷ３の３個及び駆動配線Ｌ１〜Ｌ４の４個、計７個の信号配線で正常に駆動信号を印加することができるようになる。
【００４４】
この場合、スイッチング配線の数をＮ、駆動配線の数をＰとし、液晶表示パネルの信号入力端子の数をＭとすると、Ｍ／Ｎ≦Ｐの関係が生じていれば無駄なく信号配線を配置することができるようになり、信号配線の数＝Ｎ＋Ｐ＜Ｍの関係を満たすようになる。
【００４５】
例えば、現在携帯電話によく用いられるＱ−ＶＧＡタイプの液晶表示パネルの場合は３２０ドット×２４０ドットであるから、例えば、スイッチング配線の数Ｎ＝２とすれば走査信号線に対応する３２０ドット側（Ｍ＝３２０）を時分割で駆動するためには駆動配線の数Ｐ＝１６０、信号配線の数＝Ｎ＋Ｐ＝１６２となり、同様にスイッチング配線の数Ｎ＝８とすれば駆動配線の数Ｐ＝４０、信号配線の数＝Ｎ＋Ｐ＝４８となり、スイッチング配線の数の増大とともに大幅に駆動配線数は減少し、結果としてスイッチング配線及び駆動配線からなる信号配線の数も大幅に減少させることができる。
【００４６】
したがって、この信号配線数の減少分をコモン配線を太くすることと周縁部を狭くすることとの間で適宜に割り振ることにより所望の特性の液晶表示装置を得ることができる。
【００４７】
なお、時分割して駆動する複数の駆動配線は、液晶表示パネルの映像信号線及び走査信号線のいずれに接続されるものであってもよいが、映像信号線に供給される信号はアナログ階調信号であるとともに時分割する際の切換周波数が高くなるため、切換の際にノイズが階調信号に乗ることによって表示画質が低下する恐れが大きいので、デジタル信号が供給されている走査信号線に接続される信号配線に適用した方がよい。
【００４８】
また、入力端子の数Ｍにおいて、例えば図１に示したｔａ１とｔａＭが、必ずしも表示に利用されるものではなく、所謂ダミーとして用いられるものであってもよい。
【００４９】
また、図３の従来例で示すように基板上に載置される駆動用ＩＣは、３つに限定されるものではなく、１つの走査駆動用ＩＣと１つの表示駆動用ＩＣの、計２つのＩＣからなるものでもよい。また１つのＩＣで走査信号及び表示信号を生成して出力するものでもよい。更には図３の従来例では表示部の周囲に３つの周縁部Ａ１１、Ａ１２、Ａ１３が存在し、対向する２つの周縁部Ａ１１、Ａ１２に走査信号入力端子ｔａが配列されているが、Ａ１１或はＡ１２側だけに配列されててもよく、またＡ１１とＡ１２の面積が等しく形成されている必要はない。
【図面の簡単な説明】
【００５０】
【図１】実施例の液晶表示装置の信号入力端子と各信号配線の接続関係を示す回路図である。
【図２】図１の各信号配線に入力された入力信号と液晶表示パネルの信号入力端子に印加される信号の関係を示すタイミングチャートである。
【図３】ＣＯＧ方式のアクティブマトリクス型液晶表示装置の従来例を示す平面図である。
【図４】走査信号入力端子ｔａが形成されている周縁部Ａ１２における信号配線の形状を示す拡大平面図である。
【図５】従来の液晶表示パネルの信号入力端子と信号配線の接続関係を示す図である。
【図６】従来の液晶表示装置に入力された入力信号と液晶表示パネルの信号入力端子に印加される信号の関係を示すタイミングチャートである。
【符号の説明】
【００５１】
３２    一方基板
３４    液晶表示パネル
３５，３６，３７    駆動用ＩＣ
３８    コモン配線
ＳＷ１〜ＳＷ３    スイッチング配線
Ｌ１〜Ｌ４    駆動配線
ｔｒ１〜ｔｒＭ    ＴＦＴ
Ａ１１、Ａ１２、Ａ１３    周縁部
ｔｄ    コモン端子
ｔｃ    コモン駆動信号入力端子
ｔａ１〜ｔａＭ    信号入力端子
【図１】
2006098880.tif 000003
【図２】
2006098880.tif 000004
【図３】
2006098880.tif 000005
【図４】
2006098880.tif 000006
【図５】
2006098880.tif 000007
【図６】
2006098880.tif 000008